(57)【要約】【課題】本発明は、折り畳み装置を提供する。【解決手段】本発明の折り畳み装置は、本体と、２つの連結台と、固定組とを備える。２つの連結台はそれぞれ、本体の異なる両端に設けられ、かつ本体に係合される。各連結台は、係合部を有し、固定組は、第１留め具と、第２留め具と、引き金と、軸部材とを含む。第１留め具と引き金は本体に連結され、軸部材は、本体、第１留め具及び引き金に挿入され、第２留め具は引き金に挿入される。第１留め具は第１留め部を有し、第２留め具は第２留め部を有する。引き金は、本体に相対してロック位置と解放位置との間で回転することできる。本体と２つの連結台とが当接し、かつ引き金がロック位置に位置するとき、２つの連結台の係合部が第１留め具の第１留め部と第２留め具の第２留め部とに係合される。引き金が解放位置に位置するとき、２つの連結台の係合部分が第１留め具の第１留め部と第２留め具の第２留め部から離れる。【選択図】図３
2015036293.tif 000002
【特許請求の範囲】
【請求項１】
本体と、２つの連結台と、固定組とを備える折り畳み装置であって、
２つの連結台はそれぞれ、前記本体の異なる両端に設けられ、かつ前記本体に係合され、各連結台は、係合部を有し、
固定組は、第１留め具と、第２留め具と、引き金と、軸部材とを含み、前記第１留め具と前記引き金は、前記本体に回転可能に連結され、前記軸部材を前記本体、前記第１留め具及び前記引き金に挿入するとき、前記第２留め具が前記引き金に回転可能に連結され、前記第１留め具は第１留め部を有し、前記第２留め具は第２留め部を有し、前記引き金は前記本体に相対してロック位置と解放位置との間で移動することができ、前記本体と前記２つの連結台とが互いに係合され、かつ前記引き金がロック位置に移動されたとき、前記２つの連結台の前記係合部がそれぞれ、前記第１留め具の第１留め部と前記第２留め具の第２留め部とに係合され、前記引き金が解放位置に移動されたとき、前記２つの連結台の係合部がそれぞれ、前記第１留め具の第１留め部と前記第２留め具の第２留め部とから離れることを特徴とする折り畳み装置。
【請求項２】
前記本体は２つの枢設部を含み、前記軸部材は２つの固定部と偏心部を含み、前記２つの固定部はそれぞれ前記軸部材の異なる両端に位置し、前記偏心部は前記２つの固定部の間に連結され、前記２つの固定部は前記引き金に挿入され、前記偏心部は２つの枢接部と第１留め具に挿入され、前記第１留め具は軸穴を有し、前記軸穴の前記偏心部は前記軸穴に挿入され、前記偏心部の外径が前記軸穴の内径より小さく、
前記引き金は、前記本体の２つの枢接部と対応するように設けられる２つの旋転部を含み、前記第１留め具は前記本体の２つの枢接部の間に設けられ、前記本体の２つの枢接部は前記引き金の２つの旋転部の間に設けられ、前記第２留め具は２つの枢設部を含み、前記引き金は前記２つの枢設部の間に設けられ、前記引き金の前記２つの旋転部には旋転穴が１つずつ設け、前記軸部材の前記２つの固定部は前記２つの旋転穴に挿入され、前記２つの旋転穴のうちの１つの横断面と前記２つの固定部のうちの１つの横断面とが非円形であり、かつ両者が互いに対応するように設けられ、
前記固定組は、制御具と復帰具をさらに含み、前記軸穴から離れる前記第１留め具の一端には第１支え部が形成され、前記引き金は滑り溝を有し、前記制御具は前記滑り溝に滑動設けられ、かつ第２支え部と収容溝を含み、前記第２支え部は前記第１支え部に当接され、前記復帰具は前記収容溝内に設けられ、かつ前記収容溝の内壁面と前記滑り溝の内壁面との間に圧縮され、前記制御具は、前記引き金に相対してロック位置と解放位置との間で移動することができ、前記制御具がロック位置に移動されたときは、前記第１支え部と前記第２支え部とが互いに当接され、前記引き金が前記本体に固定され、前記制御具が解放位置に移動されたときは、前記復帰具が圧縮され、かつ前記第２支え部が前記第１支え部から離れるので、前記引き金が前記本体に相対して回転することができ、
前記本体は、２つの連結穴を含み、前記本体に接近する各連結台の一端には、連結部が形成され、前記連結穴の内周縁には第１支え面が形成され、各連結部の外周縁には第２支え面が形成され、前記第１支え面と前記第２支え面は斜面に形成され、かつ互いに対応するように設けられ、前記連結部は前記連結穴に収容され、前記第１支え面と前記第２支え面は、互いに当接し、
前記本体の各端には２つの第１枢支耳が形成され、各連結台は、前記本体に接近する一端に形成された第２枢支耳を有し、前記連結台の前記第２枢支耳は前記本体の各端の２つの第１枢支耳の間に挿入され、２つの連結具はそれぞれ、連結台の第２枢支耳と前記本体の各端の２つの第１枢支耳とに挿入され、
位置決め組は、２つのピンと、２つの偏圧具と、蓋部材と、２つの制動具とを含み、前記２つのピンはそれぞれ、移動可能に前記本体に挿入され、前記２つの偏圧具はそれぞれ、前記２つのピンに装着され、かつ前記２つのピンと前記本体との間に圧縮され、前記蓋部材は前記２つのピンの一端に連結され、前記２つの制動具はそれぞれ、前記蓋部材から離れる各ピンの遠端に連結され、前記連結台の前記第２枢支耳は案内溝を有し、前記２つの制動具はそれぞれ、前記２つの連結台の前記案内溝に係合され、
前記案内溝は、第１案内区間と第２案内区間を含み、前記第１案内区間と前記第２案内区間の延伸方向が互いに垂直であり、前記２つのピンは、第１位置と第２位置との間で移動することができ、前記２つのピンが前記第１位置に位置するとき、前記２つの制動具が前記２つの案内溝の前記第１案内区間に位置し、かつ前記２つの連結台が前記本体に固定され、前記２つのピンが前記第２位置に位置するとき、記２つの制動具が前記２つの案内溝の前記第２案内区間に位置し、かつ前記２つの連結台が前記本体に相対して回転することができることを特徴とする請求項１記載の折り畳み装置。
【請求項３】
前記本体の各端には、嵌着溝がそれぞれ形成され、前記嵌着溝と前記連結穴は連通され、前記連結台は嵌着部を有し、各嵌着部と各嵌着溝が互いに対応し、かつ互いに係合することができ、前記本体と前記２つの連結台が互いに当接するとき、各嵌着部が所定の前記嵌着溝に係合され、
前記ピンの異なる両端には、位置固定部と固接部が形成され、前記位置固定部と前記固接部との間には、胴体部が形成され、前記ピンは前記位置固定部に形成された取付穴をさらに含み、前記蓋部材は２つの貫通穴を含み、２つの固定具は前記貫通穴を通過した後、それぞれ前記取付穴に係合されることを特徴とする請求項２記載の折り畳み装置。
【発明の詳細な説明】
【技術分野】
【０００１】
本発明は、折り畳み装置に関し、特に折りたたみ自転車に応用される折り畳み装置に関する。本発明の折り畳み装置を折りたたみ自転車のヘットチューブとシートチューブとの間に取り付けることにより、ヘットチューブとシートチューブを展開するか、或いは折り畳むことができる。
【背景技術】
【０００２】
通常、折り畳み装置を自転車の２つのチューブ部材の間に取り付けることにより、該２つのチューブ部材を展開するか、或いは折り畳むことができる。折り畳んだ後の２つのチューブ部材の体積が小さくなるので、携行又は収納して容易に搬送することができ、折り畳み装置による効果を大幅に向上させることができる。
【０００３】
現在の折りたたみ自転車（folding  bicycle）又は原動機付き自転車／電動補助動力自転車（motorized  bicycle／electric  bicycle）は、環境に優しく、かつ容易に収納及び携行することができる長所を有しているので、前述折りたたみ自転車又は電動補助動力自転車に折り畳め装置を設ける傾向にある。
【０００４】
公知の折り畳み装置は、２つの結合具と、軸部材と、快速解放モジュールとを含む。２つの結合具はそれぞれ、溶接又は他の方法によって、対向する２つのチューブ部材末端に固定される。軸部材は、２つの結合具の一側に挿入され、これにより２つの結合具が軸部材を軸心として回転することができる。快速解放モジュールは、２つの結合具の他側に挿入され、かつ２つの結合具が連結されるときに、２つの結合具をロックする。快速解放モジュールをロック位置と解放位置との間で切り換えることができる。快速解放モジュールが解放位置に位置するとき、結合具が互いに回転することができる。前述快速解放モジュールをロック位置から解放位置に切り換えるとき、快速解放モジュールの快速解放ピンを回転させた後、快速解放ピンが２つの結合具から離れるように該快速解放ピンを引き出す。すなわち、快速解放モジュールを解放させて、２つの結合具が回転できるようにする。前述快速解放モジュールをロックするときには、快速解放ピンを２つの結合具に挿入し、数回回して係合させた後、所定の方向に回転させてロックする。それにより、所定のロック力を得、２つの結合具を連結させることができる。従来の折り畳み装置は、快速解放モジュールのみにより、２つの結合具を連結・ロックさせるので、適合なロック・連結強度を得ることができない。まは、従来の折り畳み装置は、部品が多く、操作が煩雑であり、取り出した快速解放ピンを、紛失する恐れもある。
【０００５】
前述したとおり、従来の折り畳み装置が有効な解決・克服することができない問題を有しているので、発明者は、本発明を提出して前述した問題を解決しようとする。
【発明の概要】
【発明が解決しようとする課題】
【０００６】
本発明の目的は、従来の折り畳み装置の問題を解決し、適合なロック及び連結強度を提供することができる折り畳み装置を提供することにある。
【課題を解決するための手段】
【０００７】
上述した目的を実現するため、次のような本発明の折り畳み装置を提供する。本発明の折り畳み装置は、本体と、２つの連結台と、固定組とを含む。２つの連結台はそれぞれ、本体の異なる両端に設けられ、かつ本体と係合することができる。各連結台は１つの係合部を有する。固定組は、第１留め具と、第２留め具と、の引き金と、軸部材とを含む。第１留め具と引き金は、本体に連結され、軸部材は、本体、第１留め具及び引き金に挿入され、第２留め具は引き金に挿入される。第１留め具は第１留め部を有し、第２留め具は第２留め部を有する。引き金は、本体に相対して、ロック位置と解放位置との間で回転することできる。本体と２つの連結台とが互いに当接し、かつ引き金がロック位置に位置するとき、２つの連結台の係合部がそれぞれ、第１留め具の第１留め部と第２留め具の第２留め部とに係合される。引き金が解放位置に位置するとき、２つの連結台の係合部分がそれぞれ、第１留め具の第１留め部と第２留め具の第２留め部とから離れる。
【発明の効果】
【０００８】
本発明は、次のような発明の効果を奏することができる。折り畳み装置は、本体と、２つの連結台と、固定組とを含む。２つの連結台はそれぞれ、折りたたみ自転車のヘッドチューブとシートチューブに連結される。２つの連結台はそれぞれ、本体の異なる両端に設けられ、かつ本体と係合することができる。これにより、折りたたみ自転車のヘッドチューブとシートチューブが互いに回転することができる。固定組は、本体に連結され、かつ２つの連結台と係合することができる。上述した構造により、本発明は、部品の個数を大幅に減少させることができ、かつ本体と２つの連結台とを互いに係合させることができる。また、係合構造が簡単で、部品を紛失する恐れがない。また、操作が簡単便利で、使用者が従来の技術の快速解放ピンなどに関する機械知識を持っていなくても容易に操作することができる。また、本発明の折り畳み装置を簡単に操作することにより、本体と２つの連結台を緊密に係合又は分離させることができる。本発明の折り畳み装置を応用すると、折りたたみ自転車を高速に折り畳むことができる。
【０００９】
本発明は、次のような発明の効果を奏することもできる。各連結台は、係合部を有し、固定組は、第１留め具と第２留め具と引き金とを有する。第１留め具と引き金は本体に連結され、軸部材を本体、第１留め具及び引き金に挿入することにより、第１留め具と引き金が軸部材を軸心として同軸に回転することができる。第２留め具は引き金に連結される。第１留め具は、２つの連結台のうちのいずれかの１つと係合する第１留め部を有し、第２留め具は、もう１つの連結台の係合部と係合する第２留め部を有する。引き金は、本体に相対してロック位置と解放位置との間で回転することができる。本体と２つの連結台とが互いに当接され、かつ引き金がロック位置に位置するとき、２つの連結台の契合部がそれぞれ、第１留め具の第１留め部と第２留め具の第２留め部とに係合される。引き金が開放位置に位置するとき、２つの連結台の係合部が第１留め具の第１留め部と第２留め具の第２留め部とから離れるので、２つの連結台が本体に相対して回転することができる。これによって、本体と２つの連結台とを互いに係合させることができる。
【００１０】
本発明は、次のような発明の効果を奏することもできる。本体の各連結穴の内周縁には第１支え面が形成され、各連結台の外周縁には第２支え面が形成されている。第２支え面は斜面に形成され、かつ第１支え面に対応する。連結台の連結部は、本体の両端の連結穴に収容され、第１支え面と第２支え面が互いに当接する。これにより、本体と２つの連結台とを係合させるときに形成される隙間をなくし、本体と２つの連結台とが当接されるとき、より良い結合力を提供することができる。
【００１１】
本発明は、次のような技術効果を奏することもできる。折り畳み装置は固定組をさらに含み、固定組は、少なくとも１つの偏圧具と、蓋部材と、少なくとも１つの制動具とを含む。ピンは、蓋部材からの圧力を受けることにより、本体の第１位置と第２位置との間に移動することができる。ピンが第１位置に位置するとき、制動具が２つの案内溝の第１案内区間に位置し、２つの連結台が本体に固定されるので、本体に相対して回転することができない。ピンが第２位置に位置するとき、偏圧具がピンと本体との間に圧縮され、２つの制動具が２つの案内溝の第２案内区間に位置し、２つの連結台が本体に相対して回転することができる。本発明の固定組により、本体と２つの連結台との間の二重ロックの機能を実現することができる。
【００１２】
本発明は、次のような発明の効果を奏することもできる。本発明の２つの連結台は、溶接、組み付け、嵌め込み又は一体成形により、それぞれ折りたたみ自転車のヘットチューブとシートチューブに連結される。これにより、折りたたみ自転車のヘットチューブとシートチューブが互いに平行するたで折り畳むことができる。また、使用者が折り畳んだ後、折りたたみ自転車の前輪と後輪を平行させることができるので、使用者が折り畳んだ後の折りたたみ自転車を押して進行させることができる。
【００１３】
その他の目的、長所および本発明の新規性は以下の詳細説明と関連図面を添付して、説明する。
【図面の簡単な説明】
【００１４】
【図１】本発明の第１実施例に係る折り畳み装置が折り畳み自転車に取り付けられ、かつロック位置に位置していることを示す図である。
【図２】本発明の第１実施例に係る折り畳み装置を示す外観斜視図である。
【図３】図２の分解斜視図である。
【図４】異なる角度からみた図２の分解斜視図である。
【図５】制御具がロック位置に位置するとき、図２の切断線５−５に沿う断面を示す断面図である。
【図６】図５の制御具が解放位置に位置していることを示す断面図である。
【図７】図６の第２留め具が２つの連結台のうちのいずれか１つから離れており、かつ引き金と第２留め具が本体に相対して回転することを示す断面図である。
【図８】図７の第１留め具がもう１つの連結台から離れていることを示す断面図である。
【図９】図８の２つの連結台が本体に相対して回転することを示す断面図である。
【図１０】本発明の第１実施例に係る折り畳み装置の２つの連結台が本体に相対して回転することを示す分解斜視図である。
【図１１】ピンが第１位置に位置するとき、図１０の切断線１１−１１に沿う断面を示す断面図である。
【図１２】図１１の制御具が第２位置に位置していることを示す断面図である。
【図１３】本発明の第１実施例に係る折り畳み装置が折り畳み装置を折りたたみ自転車に取り付けられ、かつ解放位置に位置していることを示す斜視図である。
【図１４】本発明の第２実施例に係る折り畳み装置を示す分解斜視図である。
【図１５】本発明の第２実施例に係る折り畳み装置を示す異なる方向の分解斜視図である。
【図１６】本発明の第２実施例に係る折り畳み装置の第２留め具が２つの連結台のうちのいずれか１つから離れていることを示す断面図である。
【図１７】図１６の２つの連結台が本体に相対して回転することを示す断面図である。
【発明を実施するための形態】
【００１５】
本発明が採用する技術、手段及び効果について、後述する２つの好適な実施例と図面により、以下のとおり詳細に説明する。それらは本発明を説明するためのものであるが、本発明の請求の範囲がそのような構造に制限されるものではない。
【００１６】
（実施例１）
図１を参照すると、本発明の折り畳み装置１の第１実施例の使用態様図が示されている。折り畳み装置１の異なる両端はそれぞれ、折りたたみ自転車２のヘットチューブ２０１と、シートチューブ２０２とに連結される。これによって、折りたたみ自転車２のヘットチューブ２０１とシートチューブ２０２を需要により互いに折り畳むことができる。
【００１７】
図２ないし図５を参照すると、本発明の折り畳み装置１の第１実施例の外観斜視図と、分解斜視図と、断面図とがそれぞれ示されている。本発明の折り畳み装置１は、本体１０と、２つの連結台２０と、固定組３０と、位置決め組４０とを含む。２つの連結台２０は、溶接、組み付け、嵌め込み又は一体成形方式によって、それぞれ折りたたみ自転車２のヘットチューブ２０１とシートチューブ２０２に連結される。２つの連結台２０は、本体１０の異なる両端に設けられ、かつ本体１０に係合される。これにより、折りたたみ自転車２のヘットチューブ２０１とシートチューブ２０２を互いに折り畳むことができる。固定組３０は、本体１０に設けられ、かつ操作により２つの連結台２０に係合される。位置決め組４０は、本体１０に取り付けられ、２つの連結台２０が本体１０に相対して回転することを制御する。
【００１８】
本体１０は、複数の枢接部１１と、少なくとも１つの連結穴１２と、複数の第１枢支耳１３とを含む。本実施例において、本体１０は、２つの枢接部１１と、２つの連結穴１２と、４つの枢支耳１３とを含む。２つの枢接部１１は、本体１０の１つの側面に設けられ、かつ２つの枢接部１１が対向するように設けられている。２つの連結穴１２はそれぞれ、本体１０の異なる両端に設けられ、かつ互いに連通されている。各連結穴１２の内周縁には、第１支え面１２１が形成され、該第１支え面１２１は斜面に形成されている。２つの第１枢支耳１３はそれぞれ、本体１０の両側に設けられ、かつそれぞれ連結穴１２に隣接している。
【００１９】
各連結台２０は、係合部２１と、連結部２２と、第２枢支耳２３とを含む。係合部２１は、本体１０に接近する連結台２０の一端に形成され、かつ操作により固定組３０と係合することができる。連結部２２は、本体１０に接近する連結台２０の一端に突設され、連結部２２の外周縁には、第２支え面２２１が形成されている。該第２支え面２２１は斜面に形成され、かつ第１支え面１２１と対応するように形成されている。連結台２０の連結部２２を本体１０両端の連結穴１２に収容させるとき、対応する第１支え面１２１と第２支え面２２１が互いに当接・接触する。これにより、本体１０と２つの連結台２０とが係合されるとき、両者の間の隙間をなくし、かつ本体１０と２つの連結台２０とが係合されるとき、より良い結合力を提供することができる。連結台２０の第２枢支耳２３を本体１０一端に形成される２つの第１枢支耳１３の間に収容させた後、２つの連結具５０をそれぞれ連結台２０の第２枢支耳２３と本体１０一端に形成される第１枢支耳１３とに挿入すると、２つ連結台２０が本体１０に回転可能に連結される。
【００２０】
固定組３０は、第１留め具３１と、第２留め具３２と、引き金３３と、軸部材３４とを含む。第１留め具３１と引き金３３は、本体１０に連結され、軸部材３４は、本体１０、第１留め具３１及び引き金３３を通過する。これによって、第１留め具３１と引き金３３が、軸部材３４を軸心として同軸に回転することができる。第２留め具３２は、引き金３３に回転可能に連結される。
【００２１】
第１留め具３１は、本体１０に形成される２つの枢接部１１の間に回転可能に連結され、第１留め部３１１と、軸穴３１２と、第１支え部３１３とを含む。第１留め部３１１は、第１留め具３１の一端に形成され、かつ２つの連結台２０のうちの１つの係合部２１と係合することができる。軸穴３１２は、第１留め部３１１から離れた第１留め具３１の他端に形成され、第１支え部３１３は、第１留め部３１１の付近に位置する。
【００２２】
第２留め具３２は、第１留め具３１に接近する引き金３３の一端に回転可能に連結され、第２留め部３２１と複数の枢設部３２２とを有する。第２留め部３２１は、第１留め具３１から離れた第２留め具３２の一端に形成され、もう１つの連結台２０の係合部２１と係合することができる。本実施例において、第２留め具３２が２つの枢設部３２２を含み、２つの枢設部３２２は、第２留め部３２１から離れた第２留め具３２の他端に形成されている。
【００２３】
引き金３３は、本体１０に相対してロック位置と解放位置との間で回転することができる。本体１０と２つの連結台２０を互いに係合させ、かつ引き金３３がロック位置に移動されたとき、２つの連結台２０の係合部２１はそれぞれ、第１留め具３１の第１留め部３１１及び第２留め具３２の第２留め部３２１とに係合され、２つの連結台２０の連結部２２はそれぞれ、本体１０両端の連結穴１２に収容される。引き金３３が開放位置に移動されたとき、２つの連結台２０の係合部２１がそれぞれ、第１留め具３１の第１留め部３１１と、第２留め具３２の第２留め部３２１とから離れるので、２つの連結台２０が本体１０に相対して回転することができる。引き金３３は、第２留め具３２に形成された２つの枢設部３２２の間に回転可能に連結され、複数の旋転部３３１と複数の旋転３３２を含む。本実施例において、引き金３３は、２つの旋転部３３１と２つの旋転穴３３２を含む。２つの枢転部３３１は、第２留め具３２に接近する引き金３３の一端に形成され、かつ本体１０の２つの枢接部１１と対応するように形成されている。本体１０の２つの枢接部１１は、引き金３３の２つの枢転部３３１の間に回転可能に連結される。引き金３３の２つの枢転部３３１には、旋転穴３３２が１つずつ設けられている。
【００２４】
軸部材３４は、２つの固定部３４１と偏心部３４２を含む。２つの固定部３４１はそれぞれ、軸部材３４の異なる両端に位置し、偏心部３４２は、２つの固定部３４１の間に連結されている。偏心部３４２の外径は固定部３４１の外径より小さく、かつ偏心部３４２の軸心と固定部３４１の軸心とが互いに重ならない。軸部材３４の２つの固定部３４１は、引き金３３の２つの旋転穴３３２に挿入される。２つの旋転穴３３２のうちの１つの横断面と、２つの固定部３４１のうちの１つの横断面は非円形であり、かつ両者が互いに対応するように設けられている。もう１つの旋転穴３３２の横断面ともう１つの固定部３４１の横断面は非円形であり、かつ互いに対応するように設けられている。これにより、軸部材３４と引き金３３との間の連結強度を向上させることができる。軸部材３４の偏心部３４２は、本体１０の２つの枢接部１１と、第１留め具３１の軸穴３１２に挿入され、偏心部３４２の外径は、軸穴３１２の内径より小さい。
【００２５】
図６ないし図１０を参照する。固定組３０は、制御具３５と復帰具３６をさらに含む。引き金３３は滑り溝３３３を有し、制御具３５は引き金３３の滑り溝３３３に滑動可能に設けられる。制御具３５は、第２支え部３５１と収容溝３５２を含む。第２支え部３５１は、制御具３５の一端に形成され、かつ第１留め具３１の第１支え部３１３と当接する。復帰具３６は、制御具３５の収容溝３５２内に設けられ、かつ収容溝３５２の内壁面と収容溝３３３の内壁面との間に圧縮されている。制御具３５は、引き金３３の滑り溝３３３に相対して、ロック位置（図５に示す）と解放位置（図６に示す）との間に移動することができる。制御具３５がロック位置に移動されたとき、第１留め具３１の第１支え部３１３と制御具３５の第２支え部３５１とが互いに当接するので、第１留め具３１と引き金３３が本体１０に固定され、本体１０に相対して回転することができない。制御具３５が解放位置に移動されたとき、復帰具３６が収容溝３５２の内壁面と滑り溝３３３の内壁面との間に圧縮され、かつ第２支え部３５１が第１支え部３１３から離れるので、第１留め具３１と引き金３３が本体１０に相対して回転することができる。第１留め具３１と本体１０との間と、第２留め具３２と本体１０との間とには、第１弾性部材３７と第２弾性部材３８とがそれぞれ設けられる。第１弾性部材３７と第２弾性部材３８は、第１留め具３１と第２留め具３２が本体１０に相対して移動するように弾性力を提供する。本実施例において、復帰具３６、第１弾性部材３７及び第２弾性部材３８は、例えば、ばねであることができる。図７に示すとおり、第２留め具３２の第２留め部３２１が２つの連結台２０のうちの１つの係合部２１から離れるとき、引き金３３と第２留め具３２が本体１０に相対して回転することができる。図８に示すとおり、引き金３３が本体１０に相対して回転し続けるとき、第１留め具３１の第１留め部３１１がもう１つの連結台２０の係合部２１から離れる。この場合、図９と図１０に示すとおり、２つの連結台２０が本体１０に相対して回転することができる。
【００２６】
図１１ないし図１３を参照する。位置決め組４０は、少なくとも１つのピン４１と、少なくとも１つの偏圧具４２と、蓋部材４３と、少なくとも１つの制動具４４とを含む。本実施例において、位置決め組４０は、２つのピン４１と、２つの偏圧具４２と、２つの制動具４４とを含む。２つのピン４１はそれぞれ、可動に本体１０に挿入される。各ピン４１の異なる両端には、位置固定部４１１と固接部４１２が形成され、位置固定部４１１と固接部４１２との間には胴体部４１３が形成されている。位置固定部４１１、固接部４４１２及び胴体部４１３はいずれも円形の断面を有し、かつ位置固定部４１１の外径は、固接部４４１２の外径と胴体部４１３的の外径より大きい。本実施例において、２つの偏圧具４２はばねであり、それぞれ２つのピン４１の胴体部４１３に装着される。２つの偏圧具４２はそれぞれ、２つのピン４１の位置固定部４１１と本体１０との間に圧縮される。蓋部材４３は、各ピン４１の位置固定部４１１に当接され、２つの制動具４４がそれぞれ２つのピン４１の固接部４１２に係合されることによって、制動具４４とピン４１が略垂直状になる。連結台２０の第２枢支耳２３は、案内溝２４を有し、２つの制動具４４はそれぞれ、２つの連結台２０の案内溝２４に係合される。
【００２７】
好ましくは、案内溝２４が第１案内区間２４１と第２案内区間２４２とをさらに含む。第１案内区間２４１と第２案内区間２４２の延伸方向が互いに垂直である。２つのピン４１は、蓋部材４３の圧迫を受けることによって、本体１０に相対して第１位置と第２位置との間で移動することができる。２つのピン４１が第１位置に位置するときは、２つの制動具４４は２つの案内溝２４の第１案内区間２４１に位置し、２つの連結台２０は本体１０に固定されるので、本体１０に相対して回転することができない。２つのピン４１が第２位置に位置するときは、２つの偏圧具４２はそれぞれ２つのピン４１の位置固定部４１１と本体１０との間に圧縮され、２つの制動具４４は２つの案内溝２４の第２案内区間２４２に位置し、２つの連結台２０は本体１０に相対して回転することができる。位置決め組４０によって、本体１０と２つの連結台２０との間で位置を決める機能を提供することができる。図１３に示すとおり、折りたたみ自転車２のヘットチューブ２０１とシートチューブ２０２を互いに回転させて折り畳むことにより、折りたたみ自転車２の体積を大幅に減少することができる。
【００２８】
（実施例２）
図１４ないし図１７を参照すると、本発明の折り畳み装置１ａの第２実施例の分解斜視図と断面図とがそれぞれ示されている。本発明の第２実施例と第１実施例とが類似するが、両者の相違点は、本体１０ａが２つの枢接部１１ａと、２つの連結穴１２ａと、４つの第１枢支耳１３ａと、２つの嵌着溝１４ａとを含むことにある。２つの枢接部１１ａは、本体１０ａ１つの側面に設けられ、２つの連結穴１２ａはそれぞれ、本体１０ａの異なる両端に設けられ、かつ互いに連通されている。連結穴１２ａの内周縁には第１支え面１２１ａが形成され、該第１支え面１２１ａが斜面に形成されている。４つの第１枢支耳１３ａは本体１０ａの両端に２つずつ設けられ、かつそれぞれ連結穴１２ａに隣接している。嵌着溝１４ａは、連結穴１２ａに連通され、かつ本体１０ａの側面を貫通している。各嵌着溝１４ａはそれぞれ矩形の断面を有している。
【００２９】
各連結台２０ａは、係合部２１ａと、連結部２２ａと、第２枢支耳２３ａと、嵌着部２５ａを含む。係合部２１ａは本体１０ａに接近する連結台２０ａの一端に形成され、かつ操作により固定組３０と係合することができる。連結部２２ａは本体１０ａに接近する連結台２０ａの一端に突設されている。連結部２２ａの外周縁には第２支え面２２１ａが形成されている。該第２支え面２２１ａは斜面を形成され、かつ第１支え面１２１ａと対応するように形成されている。連結台２０ａの連結部２２ａを本体１０ａ両端の連結穴１２ａに収容させるとき、対応する第１支え面１２１ａと第２支え面２２１ａとが互いに当接・接触する。連結台２０ａの第２枢支耳２３ａを本体１０ａ一端に形成される２つの第１枢支耳１３ａの間に収容させた後、２つの連結具５０をそれぞれ連結台２０ａの第２枢支耳２３ａと本体１０ａ一端に形成される第１枢支耳１３ａとに挿入すると、２つ連結台２０ａが本体１０ａに回転可能に連結される。嵌着部２５ａは、連結台２０ａの一端に形成され、かつ連結部２２ａの径方向に沿って係合部２１ａに延伸される。各嵌着部２５ａは矩形の断面を有し、かつ嵌着溝１４ａと対応するように形成される。嵌着部２５ａと嵌着溝１４ａが互いに係合することができる。本体１０ａと２つの連結台２０ａとが互いに係合するとき、嵌着部２５ａが嵌着溝１４ａに係合されるので、２つの連結台２０ａが本体１０ａに緊密に連結され、自由に揺れることができない。
【００３０】
位置決め組４０ａは、少なくとも１つのピン４１ａと、少なくとも１つの偏圧具４２ａと、蓋部材４３ａと、少なくとも１つの制動具４４ａと、少なくとも１つの固定具４５ａとを含む。本実施例において、位置決め組４０ａは、２つのピン４１ａと、２つの偏圧具４２ａと、２つの制動具４４ａとを含む。２つのピン４１ａはそれぞれ、移動可能に本体１０ａに挿入され、各ピン４１ａの異なる両端には、位置固定部４１１ａと固接部４１２ａが形成されている。位置固定部４１１ａと固接部４１２ａとの間には、胴体部４１３ａが形成されている。位置固定部４１１ａは矩形の断面を有し、固接部４１２ａと胴体部４１３ａは円形の断面を有している。ピン４３ａは取付穴４１４ａをさらに含み、該取付穴４１４ａは位置固定部４１１ａに形成されている。本実施例において、２つの偏圧具４２ａはばねであり、それぞれ２つのピン４１ａの胴体部４１３ａに装着されている。２つの偏圧具４２ａはそれぞれ、２つのピン４１ａの位置固定部４１１ａと本体１０ａとの間に圧縮されており、蓋部材４３ａは２つの貫通穴４３１ａを含む。２つの固定具４５ａはそれぞれ貫通穴４３１ａに挿入され、かつ各ピン４３ａの取付穴４１４ａに係合される。２つの制動具４４ａがそれぞれピン４１ａの固接部４１２ａに係合されることによって、制動具４４ａとピン４１ａが略垂直状になる。連結台２０ａの第２枢支耳２３ａは、案内溝２４ａを有し、２つの制動具４４ａがそれぞれ２つの連結台２０ａの案内溝２４ａに係合される。
【００３１】
上述したとおり、本発明の折り畳み装置は、公開された従来の技術ではなく、特許法が定めた新規制、進歩性及び産業上の利用価値を有する。したがって、出願人は特許法により本願を出願する。
【符号の説明】
【００３２】
１  折り畳み装置
１０  本体
１１  枢接部
１２  連結穴
１２１  第１支え面
１３  第１枢支耳
２０  連結台
２１  係合部
２２  連結部
２２１  第２支え面
２３  第２枢支耳
２４  案内溝
２４１  第１案内区間
２４２  第２案内区間
３０  固定組
３１  第１留め具
３１１  第１留め部
３１２  軸穴
３１３  第１支え部
３２  第２留め具
３２１  第２留め部
３２２  枢設部
３３  引き金
３３１  旋転部
３３２  旋転穴
３３３  滑り溝
３４  軸部材
３４１  固定部
３４２  偏心部
３５  制御具
３５１  第２支え部
３５２  収容溝
３６  復帰具
３７  第１弾性部材
３８  第２弾性部材
４０  位置決め組
４１  ピン
４１１  位置固定部
４１２  固接部
４１３  胴体部
４２  偏圧具
４３  蓋部材
４４  制動具
５０  連結具
１ａ  折り畳み装置
１０ａ  本体
１１ａ  枢接部
１２ａ  連結穴
１２１ａ  第１支え面
１３ａ  第１枢支耳
１４ａ  嵌着溝
２０ａ  連結台
２１ａ  係合部
２２ａ  連結部
２２１ａ  第２支え面
２３ａ  第２枢支耳
２４ａ  案内溝
２５ａ  嵌着部
４０ａ  位置決め組
４１ａ  ピン
４１１ａ  位置固定部
４１２ａ  固接部
４１３ａ  胴体部
４１４ａ  取付穴
４２ａ  偏圧具
４３ａ  蓋部材
４３１ａ  貫通穴
４４ａ  制動具
４５ａ  固定具
２  折りたたみ自転車
２０１  ヘッドチューブ
２０２  シートチューブ
【図１】
2015036293.tif 000003
【図２】
2015036293.tif 000004
【図３】
2015036293.tif 000005
【図４】
2015036293.tif 000006
【図５】
2015036293.tif 000007
【図６】
2015036293.tif 000008
【図７】
2015036293.tif 000009
【図８】
2015036293.tif 000010
【図９】
2015036293.tif 000011
【図１０】
2015036293.tif 000012
【図１１】
2015036293.tif 000013
【図１２】
2015036293.tif 000014
【図１３】
2015036293.tif 000015
【図１４】
2015036293.tif 000016
【図１５】
2015036293.tif 000017
【図１６】
2015036293.tif 000018
【図１７】
2015036293.tif 000019